(57)【要約】【課題】カレンダー車を有する時計ムーブメントと、カレンダー車を有さない時計ムーブメントとで、巻真を共通にできる時計ムーブメントの製造方法、時計ムーブメントおよび時計を提供すること。【解決手段】地板５０と、巻真６１と、オシドリと、カンヌキとを備える時計ムーブメントの製造方法であって、カレンダー車を有する時計ムーブメントに対応したオシドリ６４およびカンヌキ６５の組と、カレンダー車を有さない時計ムーブメントに対応したオシドリおよびカンヌキの組とのうち、製造する時計ムーブメントに応じた組を選択して地板５０に取り付ける工程と、カレンダー車を有する時計ムーブメントおよびカレンダー車を有さない時計ムーブメントで共通する巻真６１を、地板５０に取り付ける工程とを有する。【選択図】図４
2017049174.tif 000002
【特許請求の範囲】
【請求項１】
地板と、巻真と、オシドリと、カンヌキとを備える時計ムーブメントの製造方法であって、
カレンダー車を有する時計ムーブメントに対応した第１オシドリおよび第１カンヌキの組と、カレンダー車を有さない時計ムーブメントに対応した第２オシドリおよび第２カンヌキの組とのうち、製造する時計ムーブメントに応じた組を選択して前記地板に取り付ける工程と、
カレンダー車を有する時計ムーブメントおよびカレンダー車を有さない時計ムーブメントで共通する巻真を、前記地板に取り付ける工程と、を有する
ことを特徴とする時計ムーブメントの製造方法。
【請求項２】
地板と、前記地板に取り付けられる巻真、オシドリ、およびカンヌキとを備える時計ムーブメントであって、
前記オシドリおよび前記カンヌキは、カレンダー車を有する時計ムーブメントに対応した第１オシドリおよび第１カンヌキの組と、カレンダー車を有さない時計ムーブメントに対応した第２オシドリおよび第２カンヌキの組とのいずれか一方であり、
前記巻真は、カレンダー車を有する時計ムーブメントおよびカレンダー車を有さない時計ムーブメントで共通する
ことを特徴とする時計ムーブメント。
【請求項３】
請求項２に記載の時計ムーブメントを備える
ことを特徴とする時計。
【請求項４】
請求項３に記載の時計において、
指針と、
カレンダー車と、
時計の駆動力を出力するゼンマイと、を備え、
前記時計ムーブメントは、前記第１オシドリおよび前記第１カンヌキを備え、
前記巻真が時計の中心に向かって押し込まれた０段位置にある場合、前記巻真の回転により、前記ゼンマイの巻き上げが可能な状態となり、
前記巻真が前記０段位置から１段引かれた１段位置にある場合、前記巻真の回転により、前記カレンダー車によって表示されるカレンダー情報の修正が可能な状態となり、
前記巻真が前記０段位置から２段引かれた２段位置にある場合、前記巻真の回転により、前記指針によって表示される時刻情報の修正が可能な状態となる
ことを特徴とする時計。
【請求項５】
請求項３に記載の時計において、
指針と、
時計の駆動力を出力するゼンマイと、を備え、
前記時計ムーブメントは、前記第２オシドリおよび前記第２カンヌキを備え、
前記巻真が時計の中心に向かって押し込まれた０段位置にある場合、前記巻真の回転により、前記ゼンマイの巻き上げが可能な状態となり、
前記巻真が前記０段位置から１段引かれた１段位置にある場合、前記巻真の回転により、前記指針によって表示される時刻情報の修正が可能な状態となる
ことを特徴とする時計。
【発明の詳細な説明】
【技術分野】
【０００１】
本発明は、時計ムーブメントの製造方法、時計ムーブメントおよび時計に関する。
【背景技術】
【０００２】
従来、時刻に加えて日や曜日などのカレンダーを表示する腕時計において、軸方向に引き出し可能なリューズを備え、リューズを引き出した状態で回転させることで、時刻およびカレンダーを修正できる腕時計が知られている（例えば、特許文献１参照）。
特許文献１の腕時計は、リューズを１段引き出した状態で回転させることで、カレンダーを修正でき、リューズを２段引き出した状態で回転させることで、時刻を修正できる。
【先行技術文献】
【特許文献】
【０００３】
【特許文献１】特開２００３−２５５０６４号公報
【発明の概要】
【発明が解決しようとする課題】
【０００４】
ところで、腕時計の分野では、表示機能の異なる時計を製造するため、特許文献１の腕時計のようなカレンダー表示機構を備える時計と、カレンダー表示機構を備えない時計とを製造することがある。カレンダー表示機構を備えない時計は、リューズによってカレンダーを修正する必要がないため、リューズは１段だけ引き出せればよい。
リューズを１段だけ引き出せる時計は、リューズを２段引き出せる時計に対して、例えば、リューズが取り付けられる巻真および巻真と係合するオシドリの設計を変更することで、地板などの他の部品は共通にして製造できる。
しかしながら、カレンダー表示機構を備える時計とカレンダー表示機構を備えない時計とで巻真が異なると、時計を製造する際、作業者は、時計に巻真を組み込む場合に、巻真を取り間違えないように注意する必要があり、作業が煩雑化するという問題がある。
また、腕時計の分野では、時計の製造者は、完成した時計だけではなく、時計のムーブメントを販売することもある。この場合、客先の作業者が、ムーブメントに巻真を組み込む場合がある。また、アフターサービスなどでは、サービス提供者が、巻真の交換作業を行う場合がある。このような場合にも、作業が煩雑化するという問題がある。
【０００５】
本発明の目的は、カレンダー車を有する時計ムーブメントと、カレンダー車を有さない時計ムーブメントとで、巻真を共通にできる時計ムーブメントの製造方法、時計ムーブメントおよび時計を提供することにある。
【課題を解決するための手段】
【０００６】
本発明は、地板と、巻真と、オシドリと、カンヌキとを備える時計ムーブメントの製造方法であって、カレンダー車を有する時計ムーブメントに対応した第１オシドリおよび第１カンヌキの組と、カレンダー車を有さない時計ムーブメントに対応した第２オシドリおよび第２カンヌキの組とのうち、製造する時計ムーブメントに応じた組を選択して前記地板に取り付ける工程と、カレンダー車を有する時計ムーブメントおよびカレンダー車を有さない時計ムーブメントで共通する巻真を、前記地板に取り付ける工程と、を有することを特徴とする。
【０００７】
本発明では、カレンダー車を有する時計ムーブメントを製造する場合は、第１オシドリおよび第１カンヌキが地板に取り付けられ、カレンダー車を有さない時計ムーブメントを製造する場合は、第２オシドリおよび第２カンヌキが地板に取り付けられる。
カレンダー車を有する時計ムーブメントでは、第１オシドリおよび第１カンヌキを備えることで、例えば、巻真が１段引かれた１段位置にある場合、カレンダー車によって表示されるカレンダー情報の修正が行われ、巻真が２段引かれた２段位置にある場合、指針によって表示される時刻情報の修正が行われるようにできる。
一方、カレンダー車を有さない時計ムーブメントでは、第１オシドリおよび第１カンヌキとは設計が異なる第２オシドリおよび第２カンヌキを備えることで、例えば、カレンダー車を有する時計ムーブメントと共通の巻真を用いたまま、巻真が１段引かれた場合のカンヌキの位置を、カレンダー車を有する時計ムーブメントにおける巻真が２段引かれた場合のカンヌキの位置と同じ位置にできる。これにより、巻真が１段位置にある場合に、時刻情報の修正が行われるようにできる。
このようにして、本発明によれば、巻真が引き出される段数が互いに異なるカレンダー車を有する時計ムーブメントとカレンダー車を有さない時計ムーブメントとで、巻真を共通にできる。従って、時計ムーブメントに巻真を組み込む際、巻真の種類が減るため、作業者が巻真を選びやすくなり、作業が煩雑化することを抑制できる。
【０００８】
本発明は、地板と、前記地板に取り付けられる巻真、オシドリ、およびカンヌキとを備える時計ムーブメントであって、前記オシドリおよび前記カンヌキは、カレンダー車を有する時計ムーブメントに対応した第１オシドリおよび第１カンヌキの組と、カレンダー車を有さない時計ムーブメントに対応した第２オシドリおよび第２カンヌキの組とのいずれか一方であり、前記巻真は、カレンダー車を有する時計ムーブメントおよびカレンダー車を有さない時計ムーブメントで共通することを特徴とする。
【０００９】
本発明によれば、カレンダー車を有する時計ムーブメントとカレンダー車を有さない時計ムーブメントとで巻真を共通にでき、時計ムーブメントに巻真を組み込む作業が煩雑化することを抑制できる。
【００１０】
本発明の時計は、上記時計ムーブメントを備えることを特徴とする。
本発明によれば、上記時計ムーブメントの発明と同様の効果を奏することができる。
【００１１】
本発明の時計において、指針と、カレンダー車と、時計の駆動力を出力するゼンマイと、を備え、前記時計ムーブメントは、前記第１オシドリおよび前記第１カンヌキを備え、前記巻真が時計の中心に向かって押し込まれた０段位置にある場合、前記巻真の回転により、前記ゼンマイの巻き上げが可能な状態となり、前記巻真が前記０段位置から１段引かれた１段位置にある場合、前記巻真の回転により、前記カレンダー車によって表示されるカレンダー情報の修正が可能な状態となり、前記巻真が前記０段位置から２段引かれた２段位置にある場合、前記巻真の回転により、前記指針によって表示される時刻情報の修正が可能な状態となることが好ましい。
【００１２】
本発明は、カレンダー車を有する時計であり、巻真が０段位置にある場合、ゼンマイの巻き上げが行われ、巻真が１段位置にある場合、カレンダー情報の修正が行われ、巻真が２段位置にある場合、時刻情報の修正が行われる。
巻真は、通常は０段位置にある。本発明によれば、カレンダー情報の修正および時刻情報の修正は、巻真を通常の位置から１段位置および２段位置に引き出さないと行われない。このため、例えば誤操作によって意図せずカレンダー情報や時刻情報が修正されることを抑制できる。
なお、ゼンマイの巻き上げは、意図せず行われたとしても問題ないため、０段位置に設定されている。
また、例えば時刻情報の修正が１段位置に設定され、カレンダー情報の修正が２段位置に設定されている場合は、カレンダー情報のみ修正したいと考え、巻真を２段位置に引き出した場合でも、巻真が一時的に１段位置の状態となり時刻情報の修正が可能な状態となる。ここで、時刻情報の修正が可能な状態にある場合は、指針の駆動が停止されることがある。このため、カレンダー情報のみ修正したい場合に、時刻情報がずれてしまう可能性がある。これに対して、本発明によれば、カレンダー情報の修正が１段位置に設定され、時刻情報の修正が２段位置に設定されているため、カレンダー情報のみ修正する場合に、時刻情報がずれてしまうことを防止できる。
【００１３】
本発明の時計において、指針と、時計の駆動力を出力するゼンマイと、を備え、前記時計ムーブメントは、前記第２オシドリおよび前記第２カンヌキを備え、前記巻真が時計の中心に向かって押し込まれた０段位置にある場合、前記巻真の回転により、前記ゼンマイの巻き上げが可能な状態となり、前記巻真が前記０段位置から１段引かれた１段位置にある場合、前記巻真の回転により、前記指針によって表示される時刻情報の修正が可能な状態となることが好ましい。
【００１４】
本発明は、カレンダー車を有さない時計であり、巻真が０段位置にある場合、ゼンマイの巻き上げが行われ、巻真が１段位置にある場合、時刻情報の修正が行われる。
本発明によれば、時刻情報の修正は、巻真を通常の位置から１段位置に引き出さないと行われない。このため、例えば誤操作によって意図せず時刻情報が修正されることを抑制できる。なお、ゼンマイの巻き上げは、意図せず行われたとしても問題ないため、０段位置に設定されている。
【図面の簡単な説明】
【００１５】
【図１】本発明の実施形態に係る時計１の正面図である。
【図２】時計１のムーブメントの平面図である。
【図３】時計１のムーブメントの斜視図である。
【図４】リューズが０段位置の状態の時計１の修正機構を示す図である。
【図５】リューズが１段位置（左回転）の状態の時計１の修正機構を示す図である。
【図６】リューズが１段位置（右回転）の状態の時計１の修正機構を示す図である。
【図７】リューズが２段位置（左回転）の状態の時計１の修正機構を示す図である。
【図８】リューズが２段位置（右回転）の状態の時計１の修正機構を示す図である。
【図９】本発明の実施形態に係る時計１Ａの正面図である。
【図１０】リューズが０段位置の状態の時計１Ａの修正機構を示す図である。
【図１１】リューズが０段位置の状態におけるオシドリとクリックばね部との係合を示す図である。
【図１２】リューズが１段位置の状態の時計１Ａの修正機構を示す図である。
【図１３】時計１および時計１Ａに組み込まれる共通の巻真を示す図である。
【発明を実施するための形態】
【００１６】
本実施形態では、時計１および時計１Ａの２つの時計について説明する。時計１は、カレンダー情報を表示するカレンダー車として日車３１および曜車３２を備えているが、時計１Ａは、カレンダー車を備えていない。
【００１７】
［時計１の構成］
図１は、時計１を示す正面図である。
時計１は、ユーザーの手首に装着される腕時計であり、円筒状の外装ケース１１を備え、外装ケース１１の内周側に、円盤状の文字板１２が時刻表示部分として配置されている。外装ケース１１の二つの開口のうち、表面側の開口は、カバーガラス１３で塞がれており、裏面側の開口は図示しない裏蓋で塞がれている。
【００１８】
また、時計１は、外装ケース１１内に収容されたムーブメント２（図２）、時刻情報を表示する秒針２１、分針２２、時針２３を備えている。
各指針２１〜２３は、ムーブメント２の指針軸に取り付けられ、ムーブメント２により駆動される。各指針２１〜２３は、文字板１２の表面側に配置され、ムーブメント２は、文字板１２の裏面側に配置されている。
ここで、ムーブメント２は、本発明のカレンダー車を有する時計ムーブメントの一例である。
【００１９】
また、文字板１２には、カレンダー小窓１４が設けられており、カレンダー小窓１４から、日車３１の数字、および、曜車３２の曜日が視認可能となっている。日車３１の数字は、年月日の「日」を表す。
【００２０】
外装ケース１１の側面には、リューズ１６が設けられている。リューズ１６が操作されることにより、操作に応じた入力を行うことができる。
リューズ１６は、時計１の中心に向かって押し込まれた通常の位置（０段位置）から２段引くことができる。１段引いた位置を１段位置といい、２段引いた位置を２段位置という。
【００２１】
［時計１のムーブメント］
図２は、時計１のムーブメント２を文字板１２側から見た平面図である。なお、図２では、日ジャンパー（日車案内）、日車押さえ等については、図示を省略している。
図２に示すように、ムーブメント２には、文字板１２側に、リング状に形成された日車３１が設けられている。日車３１は、平面中心が、ムーブメント２の平面中心に位置するように配置されている。日車３１の表面側（文字板１２側）には、日を表す「１」〜「３１」の数字が右回り（時計回り）に並んで印刷されている。また、日車３１の内周縁には、３１個の歯から構成される内歯車３１１が設けられている。
また、ムーブメント２の文字板１２側には、日車３１の内周側に、円盤状の曜車３２が設けられている。曜車３２の表面側には、図示しない七曜を示す文字が印刷されている。また、曜車３２は、裏面側（裏蓋側）に曜星車３２１を備えている。
【００２２】
ムーブメント２は、香箱３３内のゼンマイから出力される駆動力が、図示しない筒カナを介して伝達されることにより回転駆動する日の裏車４１と、日の裏車４１に連動して回転する筒車４２とを備えている。
筒車４２は、時針取付軸４２１を備え、時針取付軸４２１に時針２３が取り付けられる。なお、時針取付軸４２１の内側には、分針取付軸（二番車の筒カナ）および秒針取付軸（四番車）が設けられ、分針取付軸に分針２２が取り付けられ、秒針取付軸に秒針２１が取り付けられる。
【００２３】
また、ムーブメント２は、筒車４２に連動して２４時間で左回り（反時計回り）に１回転する日回し車４３を備えている。なお、説明で用いる左回りおよび右回りは、時計１を表面側から見た場合の回転方向を示す。
日回し車４３は、日送り爪４３１を備え、この日送り爪４３１で日車３１の内歯車３１１を１日に１歯分送って、日車３１を１日分ずつ左回りに回転させる。
さらに、日回し車４３は、曜送り爪４３２を備え、この曜送り爪４３２で曜車３２が備える曜星車３２１を送って、曜車３２を１日分ずつ右回りに回転させる。曜車３２には、曜日が二か国語で交互に表記されており、組み立て時に位置をずらすことでいずれかの表記を選択できる。このため、曜送り爪４３２は、曜星車３２１を１日に２歯分送る。このように、日回し車４３は、曜回し車も兼ねている。ここで、日回し車４３では、日車３１を送るタイミングと、曜車３２を送るタイミングがずれるように、日送り爪４３１および曜送り爪４３２が設計されている。これによれば、日車３１および曜車３２を同じタイミングで送る場合と比べて、小さい力で日回し車４３を回転させることができる。
【００２４】
［時計１の修正機構］
次に、ムーブメント２が備える修正機構３について説明する。ここでは、リューズ１６が０段位置にある状態を説明する。
図３、図４に示すように、修正機構３は、巻真６１、きち車６２、つづみ車６３、オシドリ６４、カンヌキ６５、小鉄レバー７０、小鉄車６６、カレンダー修正伝え車６７、カレンダー修正車６８、曜修正車６９、裏押え８０、修正レバー９０を備える。なお、裏押え８０は、図３に示し、図４では図示を省略している。
【００２５】
［巻真］
巻真６１は、リューズ１６と係合し、リューズ１６を引き出すことで軸方向に移動する。すなわち、巻真６１は、通常は０段位置にあり、リューズ１６を引き出すことで、１段位置、または、２段位置に移動する。
また、巻真６１には、図４に示すように、オシドリ６４と係合する係合溝６１１が設けられている。
なお、巻真６１は、図４に示すように、時計１が落下した際の衝撃などにより、巻真６１が０段位置を超えて時計１の中心に向かって押し込まれることを規制する巻真つば６１２を備えている。
【００２６】
［オシドリ］
オシドリ６４は、図４に示すように、地板５０に設けられた軸６４１を中心に揺動自在に軸支されている。オシドリ６４は、係合部６４２と、係合部６４２から延出した操作部６４６を備える。係合部６４２は、巻真６１の係合溝６１１と係合する。これにより、オシドリ６４は、巻真６１に連動し、軸６４１を中心に揺動する。
【００２７】
また、操作部６４６は、ムーブメント２を文字板１２側から見た平面視において、後述する裏押え８０と重ならないように、図３、図４に示すように、巻真６１に対して軸６４１とは反対側に設けられている。そして、操作部６４６は、巻真６１が０段位置にある場合、前記平面視において、地板５０に設けられた貫通孔５２と重なっている。
リューズ１６を交換する場合などに、巻真６１をムーブメント２から引き抜く際、オシドリ６４の係合部６４２と巻真６１の係合溝６１１との係合を外す必要がある。貫通孔５２は、当該係合を外す際に用いられる。すなわち、巻真６１が０段位置にある場合、操作部６４６が貫通孔５２と重なっているため、貫通孔５２に、裏蓋側から棒状の押圧部材を挿通させ、当該押圧部材で操作部６４６を文字板１２側に押すことができる。オシドリ６４は、後述する裏押え８０によって地板５０からの脱落が防止されているが、裏押え８０は弾性を有しているため、操作部６４６が押圧部材で押されると、オシドリ６４が傾き、操作部６４６が文字板１２側に移動する。これにより、係合部６４２と係合溝６１１の係合を外すことができる。
なお、後述するように、操作部６４６は、巻真６１が１段位置または２段位置に引き出された場合は、貫通孔５２と重ならない位置に移動する。このため、巻真６１が１段位置または２段位置にある場合、押圧部材を貫通孔５２に挿通させても、押圧部材によって操作部６４６を押圧することはできず、係合部６４２と係合溝６１１の係合は外せない。
【００２８】
また、操作部６４６は、巻真６１が２段位置を超えて引き出された場合、地板５０の外周に形成された壁部５３と当接する。これにより、巻真６１が２段位置を超えて引き出されることを規制でき、ムーブメント２が破壊されることを防止できる。
また、オシドリ６４には、図４に示すように、カンヌキ６５を位置決めする先端部６４３が設けられている。
また、オシドリ６４の先端部６４３の近傍には、地板５０側に突出し、小鉄レバー７０を位置決めする突出ピン６４４が設けられている。
また、オシドリ６４の先端部６４３の近傍には、図３、図４に示すように、文字板１２側に突出し、後述する裏押え８０のクリックばね部８３の係合溝８３２，８３３，８３４と係合する突出ピン６４５が設けられている。
ここで、オシドリ６４は、本発明の第１オシドリの一例である。
【００２９】
［カンヌキ］
カンヌキ６５は、ムーブメント２の厚み方向において、オシドリ６４と同じ高さに配置されている。カンヌキ６５は、図４に示すように、地板５０に設けられた軸６５１に軸支されている。カンヌキ６５のばね部６５２は、地板５０に設けられた突起部５１を押圧するように取り付けられており、これにより、カンヌキ６５は、端部６５３が時計外縁方向（きち車６２に近づく方向）に向かうように付勢されている。ここで、カンヌキ６５は、撓むことで、端部６５３が時計中心方向に向かう方向と、端部６５３が時計外縁方向に向かう方向とに揺動可能に設けられている。
また、カンヌキ６５における時計外縁側の側面には、オシドリ６４の先端部６４３と当接する側面部６５４が設けられている。側面部６５４に先端部６４３が当接することで、カンヌキ６５の位置は規制される。すなわち、カンヌキ６５の位置は、ばね部６５２およびオシドリ６４の先端部６４３によって決められている。
ここで、カンヌキ６５は、本発明の第１カンヌキの一例である。
【００３０】
［つづみ車］
つづみ車６３は、図４に示すように、カンヌキ６５の端部６５３と係合する係合溝６３１と、きち車６２と係合する係合部６３２と、歯車６３３とを備えている。つづみ車６３には、回転中心を通る孔が設けられており、この孔に巻真６１が挿通している。
つづみ車６３は、巻真６１に対して、巻真６１の軸方向に移動自在であり、かつ、回転できないように取り付けられている。
すなわち、つづみ車６３は、カンヌキ６５に連動して、巻真６１の軸方向に沿って移動し、かつ、巻真６１と係合して巻真６１と一体で回転する。
【００３１】
［きち車］
きち車６２は、図４に示すように、つづみ車６３の係合部６３２と係合する係合部６２１を備えている。きち車６２には、回転中心を通る孔が設けられており、この孔に巻真６１が挿通している。きち車６２は、巻真６１に回転自在に取り付けられている。
きち車６２は、つづみ車６３と係合した状態でリューズ１６が左回転されると、つづみ車６３と一体で回転し、図示しない丸穴車や角穴車などの回転力伝達機構を介してゼンマイを巻き上げる。なお、きち車６２は、リューズ１６が右回転された場合は、係合部６２１がつづみ車６３の係合部６３２から外れ、回転しないように構成されている。
【００３２】
［小鉄レバー］
小鉄レバー７０は、図４に示すように、地板５０に設けられた軸（揺動軸）７０１を中心に揺動自在に軸支されている。ここで、軸７０１は、ムーブメント２を文字板１２側から見た平面視において、日車３１と重なる位置に配置されている。
小鉄レバー７０は、軸７０１が設けられる基端部７９と、基端部７９から延出する位置決め部７１および支持部７２とを備える。支持部７２は、基端部７９から巻真６１の軸を通る直線ＶＬと交差する方向に延出している。また、支持部７２は、基端部７９側に屈曲部７３を備えている。屈曲部７３の基端部７９とは反対側の端部は、基端部７９側の端部に対して、文字板１２に近づく方向に位置している。
【００３３】
位置決め部７１は、前記平面視においてオシドリ６４およびカンヌキ６５と重なって配置され、オシドリ６４およびカンヌキ６５に対して地板５０側に配置されている。支持部７２は、前記平面視において日車３１の内周側に配置され、オシドリ６４およびカンヌキ６５に対して文字板１２側に配置されている。
また、位置決め部７１には、オシドリ６４の突出ピン６４４と係合する係合穴７１１が設けられている。係合穴７１１に突出ピン６４４が係合することで、小鉄レバー７０の位置は規制される。すなわち、小鉄レバー７０の位置は、突出ピン６４４によって決められている。
【００３４】
支持部７２は、直線ＶＬと交差して設けられている。支持部７２における直線ＶＬと交差する軸受け部７２１には、小鉄車６６と、小鉄車６６と同じ回転軸に取り付けられるカレンダー修正伝え車６７とを、回転自在に軸支する図示しない軸受け孔が設けられている。
ここで、小鉄車６６は、小鉄レバー７０に対して地板５０側に配置され、カレンダー修正伝え車６７は、小鉄レバー７０に対して文字板１２側に配置されている。ここで、カレンダー修正伝え車６７は小鉄車６６と同じ回転軸に固定されているため小鉄車６６と一体で回転する。
なお、小鉄車６６およびカレンダー修正伝え車６７と、日の裏車４１と、筒車４２とは、回転軸がほぼ直線ＶＬ上に位置するように配置されている。
【００３５】
支持部７２には、軸受け部７２１に対して軸７０１とは反対側に、カレンダー修正車６８を回転自在に軸支可能な軸受け穴７２２が設けられている。また、支持部７２には、軸受け部７２１に対して軸７０１側に、例えば日車３１とはサイズの異なる日車が用いられる場合などに使用されるカレンダー修正車を回転自在に軸支可能な軸受け穴７２３が設けられている。すなわち、軸受け穴７２２は、直線ＶＬに対して、軸７０１とは反対側に設けられ、軸受け穴７２３は、直線ＶＬに対して、軸７０１側に設けられている。つまり、軸受け穴７２２および軸受け穴７２３は、カレンダー修正伝え車６７を間に挟んで設けられている。
軸受け穴７２２，７２３は、前記平面視において、カレンダー修正伝え車６７の同心円の円弧に沿って細長く形成された長穴である。また、軸受け穴７２２は、軸受け穴７２３よりも細長く形成されている。ここで、軸受け穴７２２および軸受け穴７２３は、前記円弧に沿う方向の一方の端が他方の端に対して日車３１の内周縁に近づく方向に位置している。
また、支持部７２の先端部７２４は、後述する修正レバー９０の係合穴９１１に係合する。
【００３６】
［カレンダー修正車］
カレンダー修正車６８は、図４に示すように、小鉄レバー７０の軸受け穴７２２に軸支されている。
カレンダー修正車６８は、カレンダー修正伝え車６７と連動して回転する。
また、カレンダー修正車６８は、ムーブメント２の厚み方向において、日車３１の内歯車３１１と同じ高さに配置されている。
【００３７】
［裏押え］
裏押え８０は、図３に示すように、ネジ８０２で地板５０に固定されている。裏押え８０と地板５０との間には、オシドリ６４、カンヌキ６５、小鉄レバー７０が設けられている。裏押え８０は、地板５０に設けられた軸６５１および軸８０１と、ネジ８０２によって位置決めされている。裏押え８０は、弾性を有し、初期撓みによりオシドリ６４を巻真６１に連動した移動を妨げない程度の力で地板５０側に押圧している。これにより、裏押え８０は、オシドリ６４、カンヌキ６５、小鉄レバー７０が地板５０から脱落することを防止している。
また、裏押え８０は、軸６５１および軸８０１が設けられる基端部８１と、基端部８１から延出したオシドリ押え部８２と、基端部８１から延出したクリックばね部８３と、基端部８１から延出した延出部８４とを備える。
オシドリ押え部８２は、先端部８２１に、地板５０に設けられた軸６４１を挿通させる穴が設けられている。先端部８２１は、オシドリ６４が地板５０から脱落することを防止している。
クリックばね部８３の先端部８３１の側面には、オシドリ６４の突出ピン６４５と係合する３つの係合溝８３２，８３３，８３４が設けられている。突出ピン６４５が、３つの係合溝８３２，８３３，８３４のいずれかと係合することで、リューズ１６の押込み時および引き出し時に、オシドリ６４の位置が規制され、巻真６１の位置、すなわち、リューズ１６の位置が、０段位置、１段位置、２段位置に規制されるとともに、ユーザーがクリック感を得ることができる。具体的には、突出ピン６４５が係合溝８３２に係合することで、巻真６１の位置が０段位置に規制され、突出ピン６４５が係合溝８３３に係合することで、巻真６１の位置が１段位置に規制され、突出ピン６４５が係合溝８３４に係合することで、巻真６１の位置が２段位置に規制される。
延出部８４は、カンヌキ６５および小鉄レバー７０が地板５０から脱落することを防止している。
【００３８】
［修正レバー］
修正レバー９０は、図４に示すように、ネジ（軸）９０２に揺動自在に取り付けられている。また、修正レバー９０の文字板１２側への移動は、ネジ９０２の頭部によって規制されている。ここで、地板５０とネジ９０２の頭部との隙間は、修正レバー９０が揺動可能な範囲で最小となるように設定されている。ここで、ネジ９０２は、ムーブメント２を文字板１２側から見て、日車３１と重なる位置に設けられている。
また、修正レバー９０は、ネジ９０２が設けられる本体部９１と、本体部９１から屈曲部９２を介して延出した規制部９３と、本体部９１から延出した係合規制部９４とを備える。
【００３９】
本体部９１には、小鉄レバー７０の支持部７２の先端部７２４と係合する係合穴９１１が設けられている。係合穴９１１は、前記平面視において、長穴状に細長く形成されている。小鉄レバー７０が左回り（反時計回り）に移動すると、小鉄レバー７０の先端部７２４が、係合穴９１１における小鉄レバー７０の移動方向側の内側面を押し、これにより、修正レバー９０が、左回りに移動する。また、小鉄レバー７０が右回り（時計回り）に移動すると、小鉄レバー７０の先端部７２４が、係合穴９１１における小鉄レバー７０の移動方向側の内側面を押し、これにより、修正レバー９０が、右回りに移動する。このように、修正レバー９０は、小鉄レバー７０に連動し、ネジ９０２を中心に揺動する。
【００４０】
規制部９３は、オシドリ６４の操作部６４６と日車３１との間に設けられ、巻真６１が０段位置にある場合、前記平面視において、貫通孔５２およびオシドリ６４の操作部６４６と重なるように設けられている。このため、巻真６１が０段位置にある状態で、オシドリ６４の操作部６４６が、貫通孔５２に挿通された押圧部材で文字板１２側に押され、オシドリ６４が傾いた場合、操作部６４６は、規制部９３の位置まで移動すると、規制部９３に当接し、それ以上移動することが規制される。すなわち、規制部９３は、操作部６４６の文字板１２方向への移動量を決める度決め部として機能する。
なお、後述するように、規制部９３は、巻真６１が１段位置または２段位置に引き出された場合、前記平面視において、操作部６４６とは重ならないが、貫通孔５２とは重なる。このため、巻真が１段位置または２段位置にある場合に、貫通孔５２に押圧部材が挿通された場合、押圧部材は、規制部９３の位置に到達すると、規制部９３に当接し、それ以上の移動が規制される。
【００４１】
係合規制部９４は、小鉄レバー７０の支持部７２の地板５０側に位置し、詳しくは後述するが、巻真６１が２段位置にある場合に、カレンダー修正車６８の移動を規制し、カレンダー修正車６８が、後述する曜修正車６９と噛み合う（係合する）ことを規制する。
なお、修正レバー９０は、非鉄金属ではない鉄や鉄を主成分とする合金等の金属で構成されている。修正レバー９０は、作動部品のため、形状に制約があり、形状により剛性を確保することが難しいが、修正レバー９０を非鉄金属ではない金属で構成することで、剛性を確保できる。また、修正レバー９０を非鉄金属ではない金属で構成することで、修正レバー９０の厚みを、０．２ｍｍ程度に設定でき、修正レバー９０を非鉄金属で構成した場合の２／３〜１／２程度の厚さに設定できる。
【００４２】
［曜修正車］
曜修正車６９は、図４に示すように、直線ＶＬに対して、小鉄レバー７０の軸７０１とは反対側に設けられ、曜星車３２１（図２、図３）と噛み合っている。
【００４３】
［０段位置での動作］
次に、リューズ１６が０段位置にある場合の修正機構３の動作について説明する。
リューズ１６が０段位置にある場合、オシドリ６４の突出ピン６４５は、クリックばね部８３の係合溝８３２と係合している（図３）。
そして、図４に示したように、オシドリ６４の先端部６４３は、カンヌキ６５の側面部６５４には当接していない。
この場合、図４に示したように、きち車６２は、つづみ車６３と係合しており、つづみ車６３と一体で回転する。また、小鉄車６６は、つづみ車６３と離間しており、つづみ車６３に連動して回転しない。
このため、リューズ１６を左回転させると、きち車６２が回転し、これにより、図示しない回転力伝達機構を介してゼンマイが巻き上げられる。なお、リューズ１６を右回転させても、きち車６２は回転しない。
なお、リューズ１６を回転させても、小鉄車６６は回転しないため、カレンダー修正伝え車６７、カレンダー修正車６８、日車３１、曜車３２は回転しない。
【００４４】
［１段位置］
次に、リューズ１６が１段位置に引き出された場合の修正機構３の動作について説明する。
図５は、リューズ１６が１段位置にある場合の修正機構３を示す図である。
リューズ１６が０段位置から引き出されると、オシドリ６４の突出ピン６４５が、クリックばね部８３の係合溝８３２から移動し、係合溝８３３と係合する（図３参照）。これにより、リューズ１６が１段位置に引き出される。リューズ１６が０段位置から１段位置に引き出されると、巻真６１に連動してオシドリ６４が回転し、オシドリ６４の先端部６４３が、カンヌキ６５の側面部６５４に当接し、当該側面部６５４における前記平面視で山状に形成された部分に沿って移動する。これにより、カンヌキ６５のばね部６５２が撓み、カンヌキ６５の端部６５３が時計中心方向（きち車６２から離れる方向）に移動し、つづみ車６３は、巻真６１に対して小鉄車６６に近づく方向に移動する。これにより、つづみ車６３は、きち車６２と離間し、小鉄車６６と噛み合う（係合する）。
なお、オシドリ６４が移動することで、オシドリ６４の突出ピン６４４は、小鉄レバー７０の係合穴７１１内を移動するが、係合穴７１１の形状によって小鉄レバー７０は移動しない。
ここで、リューズ１６が０段位置または１段位置の場合における小鉄レバー７０の移動位置を、第１移動位置とする。
また、オシドリ６４が移動することで、オシドリ６４の操作部６４６は、前記平面視において、貫通孔５２と重ならない位置に移動する。このため、押圧部材を貫通孔５２に挿通させても、押圧部材によって操作部６４６を押圧することはできず、係合部６４２と係合溝６１１の係合は外せない。
また、小鉄レバー７０は移動しないため、修正レバー９０も移動せず、修正レバー９０の規制部９３は、前記平面視において、貫通孔５２と重なっている。
【００４５】
［１段位置でリューズ左回転］
図５に示すように、リューズ１６を１段位置の状態で左回転させると、小鉄車６６が右回り（時計回り）に回転し、カレンダー修正伝え車６７も小鉄車６６と一体で右回りに回転する。そして、カレンダー修正伝え車６７に連動してカレンダー修正車６８は左回り（反時計回り）に回転する。
このとき、カレンダー修正車６８は、カレンダー修正伝え車６７が右回りに回転することで、日車３１に近づく方向の力を受けるので、軸受け穴７２２に沿って日車３１に近づく方向に移動し、日車３１の内歯車３１１と噛み合う（係合する）。これにより、日車３１は、カレンダー修正車６８に連動して左回りに回転する。このようにして、日付を修正できる。
【００４６】
［１段位置でリューズ右回転］
一方、図６に示すように、リューズ１６を１段位置の状態で右回転させると、小鉄車６６が左回りに回転し、カレンダー修正伝え車６７も小鉄車６６と一体で左回りに回転する。そして、カレンダー修正伝え車６７に連動してカレンダー修正車６８は右回りに回転する。
このとき、カレンダー修正車６８は、カレンダー修正伝え車６７が左回りに回転することで、日車３１から離間する方向の力を受けるので、軸受け穴７２２に沿って日車３１から離間する方向に移動し、日車３１から離間し、曜修正車６９と噛み合う（係合する）。これにより、曜修正車６９は、カレンダー修正車６８に連動して左回りに回転する。そして、曜車３２は、曜修正車６９に連動して、右回りに回転する。このようにして、曜日を修正できる。
なお、このとき、修正レバー９０の係合規制部９４は、前記平面視において、軸受け穴７２２と重なっていないため、カレンダー修正車６８の移動は規制されない。
【００４７】
［２段位置］
次に、リューズ１６が２段位置に引き出された場合の修正機構３の動作について説明する。
図７は、リューズ１６が２段位置にある場合の修正機構３を示す図である。
リューズ１６が１段位置から引き出されると、オシドリ６４の突出ピン６４５が、クリックばね部８３の係合溝８３３から移動し、係合溝８３４と係合する（図３参照）。これにより、リューズ１６が２段位置に引き出される。リューズ１６が１段位置から２段位置に引き出されると、巻真６１に連動してオシドリ６４が回転し、オシドリ６４の突出ピン６４４は、小鉄レバー７０の係合穴７１１内を移動する。これにより、小鉄レバー７０が移動し、小鉄レバー７０の支持部７２は時計中心方向に移動する。これにより、小鉄車６６は、時計中心方向に移動し、日の裏車４１と噛み合う。
ここで、リューズ１６が２段位置の場合における小鉄レバー７０の移動位置を、第２移動位置とする。
また、オシドリ６４が回転すると、オシドリ６４の先端部６４３が、カンヌキ６５の側面部６５４における前記平面視で山状に形成された部分に沿って移動する。これにより、カンヌキ６５のばね部６５２がさらに撓み、カンヌキ６５の端部６５３が時計中心方向に移動し、つづみ車６３は、巻真６１に対して小鉄車６６に近づく方向にさらに移動する。これにより、つづみ車６３と小鉄車６６とが噛み合った状態が維持される。
また、小鉄レバー７０に連動して修正レバー９０が回転し、係合規制部９４は、前記平面視において、軸受け穴７２２と重なる位置に移動する。
なお、オシドリ６４の操作部６４６は、前記平面視において、貫通孔５２と重ならず、修正レバー９０の規制部９３は、前記平面視において、貫通孔５２と重なっている。
【００４８】
［２段位置でリューズ左回転］
図７に示すように、リューズ１６を２段位置の状態で左回転させると、小鉄車６６が右回りに回転し、小鉄車６６に連動して日の裏車４１が左回りに回転する。そして、日の裏車４１に連動して筒車４２等が右回りに回転することで、時針取付軸４２１や分針取付軸が回転する。
このようにして、分針２２，時針２３を右回りに回転させることができ、表示時刻を修正できる。
なお、カレンダー修正伝え車６７は、小鉄車６６と一体で右回りに回転する。この回転により、カレンダー修正車６８は、日車３１に近づく方向の力を受けるが、軸受け穴７２２の端に当接することで、日車３１の内歯車３１１と噛み合う位置までは移動しない。このため、日車３１は回転しない。
【００４９】
［２段位置でリューズ右回転］
一方、図８に示すように、リューズ１６を２段位置の状態で右回転させると、小鉄車６６が左回りに回転し、小鉄車６６に連動して日の裏車４１が右回りに回転する。そして、日の裏車４１に連動して筒車４２等が左回りに回転することで、時針取付軸４２１や分針取付軸が回転する。
このようにして、分針２２，時針２３を左回りに回転させることができ、表示時刻を修正できる。
なお、カレンダー修正伝え車６７は、小鉄車６６と一体で左回りに回転する。この回転により、カレンダー修正車６８は、曜修正車６９に近づく方向の力を受けるが、回転軸が修正レバー９０の係合規制部９４に当接することで、曜修正車６９と噛み合う位置までは移動しない。このため、曜車３２は回転しない。
【００５０】
なお、小鉄レバー７０の軸７０１は、直線ＶＬと垂直に交わり、かつ、小鉄レバー７０が第１移動位置に位置する場合の小鉄車６６の回転軸を通る第１垂直線Ｌ１（図５）と、直線ＶＬと垂直に交わり、かつ、小鉄レバー７０が第２移動位置に位置する場合の小鉄車６６の回転軸を通る第２垂直線Ｌ２（図７、図８）との間に位置している。
【００５１】
［時計１Ａの構成］
次に、時計１Ａについて説明する。
図９は、時計１Ａを示す正面図である。なお、時計１Ａにおいて、時計１と同じ構成については、同じ符号を付与し、説明は省略する。
時計１Ａでは、日車および曜車は設けられていないので、日および曜日は表示されない。すなわち、文字板１２Ａには、カレンダー小窓は設けられていない。また、時計１Ａのムーブメント２Ａ（図１０）は、日車および曜車に加えて、日回し車、日回し中間車も備えていない。
また、時計１Ａでは、リューズ１６は、０段位置から１段だけ引くことができる。詳しくは後述するが、リューズ１６を０段位置の状態で回転させることで、ゼンマイを巻き上げることができ、リューズ１６を０段位置から１段引いた１段位置の状態で回転させることで、表示時刻を修正できる。
【００５２】
［時計１Ａの修正機構］
時計１Ａのムーブメント２Ａが備える修正機構３Ａについて説明する。ここでは、リューズ１６が０段位置にある状態を説明する。
ここで、ムーブメント２Ａは、本発明のカレンダー車を有さない時計ムーブメントの一例である。
図１０に示すように、修正機構３Ａは、カレンダー修正車、曜修正車、修正レバーを備えていない点で、時計１の修正機構３と相違する。
また、修正機構３Ａでは、オシドリ６４Ａおよびカンヌキ６５Ａが、修正機構３のオシドリ６４およびカンヌキ６５と相違する。
修正機構３Ａのその他の構成は、修正機構３と同じである。すなわち、地板５０、巻真６１、きち車６２、つづみ車６３、小鉄レバー７０、小鉄車６６、カレンダー修正伝え車６７、裏押え８０（図１１）は、修正機構３と共通している。
【００５３】
［オシドリ］
オシドリ６４Ａは、時計１のオシドリ６４と比べて、平面形状が異なっている。
具体的には、オシドリ６４Ａは、操作部６４６から地板５０の外周に近づく方向に延出した延出部６４７を備えている。
時計１Ａでは、巻真６１が１段位置にある場合でも、操作部６４６と地板５０の外周に形成された壁部５３とが近接していないため、巻真６１が１段位置を超えて引き出された場合、操作部６４６がすぐに壁部５３に当接しないため、巻真６１が引き出されることを規制できない。
このため、時計１Ａでは、オシドリ６４Ａに延出部６４７を備え、巻真６１が１段位置にある場合に、延出部６４７と壁部５３とが近接するようにしている。これにより、巻真６１が１段位置を超えて引き出された場合、延出部６４７がすぐに壁部５３に当接することで、巻真６１が引き出されることを規制でき、ムーブメント２Ａが破壊されることを防止できる。
また、カンヌキ６５Ａを位置決めする先端部６４３の形状、および、先端部６４３の係合部６４２に対する位置が、オシドリ６４と異なっている。
また、小鉄レバー７０を位置決めする突出ピン６４４の係合部６４２に対する位置が、オシドリ６４と異なっている。
また、クリックばね部８３の係合溝と係合する突出ピン６４５の係合部６４２に対する位置が、オシドリ６４と異なっている。なお、時計１Ａでは、突出ピン６４５は、クリックばね部８３の係合溝８３２〜８３４（図１１）のうち、係合溝８３３，８３４と係合し、係合溝８３２とは係合しない。突出ピン６４５が、係合溝８３３と係合することで、巻真６１の位置が０段位置に規制され、突出ピン６４５が、係合溝８３４と係合することで、巻真６１の位置が１段位置に規制される。
ここで、オシドリ６４Ａは、本発明の第２オシドリの一例である。
【００５４】
［カンヌキ］
カンヌキ６５Ａは、時計１のカンヌキ６５と比べて、平面形状が異なっている。
具体的には、オシドリ６４Ａの先端部６４３と当接する側面部６５４の形状が、カンヌキ６５と異なっている。すなわち、カンヌキ６５の側面部６５４には、前記平面視で山状に形成された部分が２つあるのに対し、カンヌキ６５Ａの側面部６５４には、当該部分が１つしかない。
ここで、カンヌキ６５Ａは、本発明の第２カンヌキの一例である。
【００５５】
なお、時計１Ａでは、貫通孔５２に挿通された押圧部材によってオシドリ６４Ａの操作部６４６が文字板１２Ａ側に押された場合の、操作部６４６の文字板１２Ａ側への移動は、地板５０に固定された図示しない裏板に設けられた規制部によって規制される。すなわち、当該規制部は、オシドリ６４Ａと文字板１２Ａとの間であって、前記平面視において、貫通孔５２および操作部６４６と重なる位置に設けられている。なお、時計１Ａにおいても、時計１と同様に修正レバーを設け、当該修正レバーの規制部により、操作部６４６の移動が規制されるように構成してもよい。この場合、裏板に規制部を設ける必要がないため、裏板に曲げ加工等を行う必要がなく、裏板の加工を簡略化できる。
【００５６】
［０段位置での動作］
次に、リューズ１６が０段位置にある場合の修正機構３Ａの動作について説明する。
図１１に示すように、リューズ１６が０段位置にある場合、オシドリ６４Ａの突出ピン６４５は、クリックばね部８３の係合溝８３３と係合している。
そして、図１０に示したように、オシドリ６４Ａの先端部６４３は、カンヌキ６５Ａの側面部６５４には当接していない。
この場合、図１０に示したように、オシドリ６４Ａの突出ピン６４４は、時計１の１段位置と同じ位置にあり、小鉄レバー７０は、時計１の０段位置および１段位置と同じ移動位置、すなわち第１移動位置にある。
また、カンヌキ６５Ａの端部６５３は、時計１の０段位置と同じ位置にあり、きち車６２は、つづみ車６３と係合しており、つづみ車６３と一体で回転する。また、小鉄車６６は、つづみ車６３と離間しており、つづみ車６３に連動して回転しない。
このため、リューズ１６を左回転させると、きち車６２が回転し、これにより、図示しない回転力伝達機構を介してゼンマイが巻き上げられる。なお、リューズ１６を右回転させても、きち車６２は回転しない。
なお、オシドリ６４Ａの操作部６４６は、前記平面視において、貫通孔５２と重なっている。
【００５７】
［１段位置での動作］
次に、リューズ１６が１段位置に引き出された場合の修正機構３Ａの動作について説明する。
図１２は、リューズ１６が１段位置にある場合の修正機構３Ａを示す図である。
リューズ１６が０段位置から引き出されると、オシドリ６４Ａの突出ピン６４５が、クリックばね部８３の係合溝８３３（図１１）から移動し、係合溝８３４（図１１）と係合する。これにより、リューズ１６が１段位置に引き出される。
図１２に示すように、リューズ１６が０段位置から１段位置に引き出されると、巻真６１に連動してオシドリ６４Ａが回転し、オシドリ６４Ａの突出ピン６４４は、小鉄レバー７０の係合穴７１１内を移動する。これにより、小鉄レバー７０が、時計１の２段位置と同じ移動位置、すなわち第２移動位置に移動する。これにより、小鉄車６６は、日の裏車４１と噛み合う。
また、オシドリ６４Ａが回転すると、オシドリ６４Ａの先端部６４３が、カンヌキ６５Ａの側面部６５４に当接し、当該側面部６５４における前記平面視で山状に形成された部分に沿って移動する。これにより、カンヌキ６５Ａのばね部６５２が撓み、カンヌキ６５Ａの端部６５３が、時計１の２段位置と同じ位置に移動する。これにより、つづみ車６３は、きち車６２と離間し、小鉄車６６と噛み合う（係合する）。
これにより、リューズ１６を１段位置の状態で左回転または右回転させると、小鉄車６６が回転し、小鉄車６６に連動して日の裏車４１が回転する。そして、日の裏車４１に連動して筒車４２等が回転することで、時針取付軸４２１や分針取付軸が回転する。
このようにして、分針２２，時針２３を回転させることができ、表示時刻を修正できる。
なお、リューズ１６を０段位置から１段位置に引き出した場合の巻真６１の軸方向の移動距離は、時計１におけるリューズ１６を０段位置から２段位置に引き出した場合の巻真６１の軸方向の移動距離よりも短い。これにより、例えば、リューズ１６を０段位置から１段位置に引き出した場合の巻真６１の移動距離が、時計１におけるリューズ１６を０段位置から２段位置に引き出した場合の巻真６１の移動距離と同じ場合と比べて、操作に節度を持たせることができ、リューズ１６を引いたときの操作感を向上できる。
また、リューズ１６が１段位置にある場合、オシドリ６４Ａの操作部６４６は、前記平面視において、貫通孔５２と重なっていない。
【００５８】
［時計１および時計１Ａの製造方法］
時計１は、地板５０に、指針２１〜２３を駆動する輪列と、日回し車４３と、日車３１と、曜車３２と、修正機構３などを取り付けることで製造できる。
修正機構３を取り付ける工程は、地板５０に、オシドリ６４、カンヌキ６５、小鉄レバー７０、修正レバー９０、裏押え８０、巻真６１などを取り付ける工程を含む。
一方、時計１Ａは、時計１と共通の地板５０に、指針２１〜２３を駆動する時計１と共通の輪列と、修正機構３Ａなどを取り付けることで製造できる。
修正機構３Ａを取り付ける工程は、地板５０に、オシドリ６４Ａと、カンヌキ６５Ａと、時計１と共通の小鉄レバー７０、裏押え８０、巻真６１とを取り付ける工程を含む。
なお、時計の製造者が時計のムーブメントを販売する場合は、販売段階ではムーブメントに仮の巻真６１が組み込まれ、販売先で仮の巻真６１に替えて最終製品としての巻真６１が組み込まれる場合もある。
【００５９】
このように、時計１と時計１Ａとでは、図１３に示す共通の巻真６１が組み込まれている。
ここで、共通の巻真とは、少なくとも、外装ケース１１の内側の部分の構成が共通している巻真を意図し、時計のサイズが異なるなどして、前記内側の部分よりも外側の部分の構成（例えば長さなど）が異なっていても、前記内側の部分の構成が共通であれば、共通の巻真と考える。なお、本実施形態では、時計１の巻真６１と、時計１Ａの巻真６１とは、前記内側の部分の構成だけではなく、前記外側の部分の構成も同一である。
【００６０】
［実施形態の作用効果］
本実施形態によれば、巻真６１が引き出される段数が互いに異なるカレンダー車を有する時計１とカレンダー車を有さない時計１Ａとで、巻真６１を共通にできる。従って、時計に巻真を組み込む際、巻真の種類が減るため、作業者が巻真を選びやすくなり、作業が煩雑化することを抑制できる。また、時計に、対応していない巻真が誤って組み込まれることも抑制できる。
また、時計１と時計１Ａとでは、オシドリおよびカンヌキ以外の地板５０や小鉄レバー７０や裏押え８０などの部品は共通しているため、小規模な設計変更で、時計１および時計１Ａを製造でき、開発コストを低減できる。
【００６１】
時計１では、カレンダー情報の修正および時刻情報の修正は、巻真６１を通常の０段位置から１段位置または２段位置に引き出さないと行われない。また、時計１Ａでは、時刻情報の修正は、巻真６１を０段位置から１段位置に引き出さないと行われない。このため、例えば誤操作によって意図せずカレンダー情報や時刻情報が修正されることを抑制できる。
なお、ゼンマイの巻き上げは、意図せず行われたとしても問題ないため、０段位置に設定されている。
また、例えば時刻情報の修正が１段位置に設定され、カレンダー情報の修正が２段位置に設定されている場合は、カレンダー情報のみ修正したいと考え、巻真６１を２段位置に引き出した場合でも、巻真６１が一時的に１段位置の状態となり時刻情報の修正が可能な状態となる。ここで、時刻情報の修正が可能な状態にある場合は、指針の駆動が停止されることがある。このため、カレンダー情報のみ修正したい場合に、時刻情報がずれてしまう可能性がある。これに対して、時計１によれば、カレンダー情報の修正が１段位置に設定され、時刻情報の修正が２段位置に設定されているため、カレンダー情報のみ修正する場合に、時刻情報がずれてしまうことを防止できる。
【００６２】
［他の実施形態］
なお、本発明は前述の実施形態に限定されるものではなく、本発明の目的を達成できる範囲での変形、改良等は本発明に含まれるものである。
前記実施形態の時計１では、巻真６１が０段位置にある場合にゼンマイの手巻きが行われ、巻真６１が１段位置にある場合にカレンダー情報の修正が行われ、巻真６１が２段位置にある場合に時刻情報の修正が行われるが、本発明はこれに限定されない。すなわち、巻真６１の位置（０段位置、１段位置、２段位置）に対して、ゼンマイの手巻き、カレンダー情報の修正、時刻情報の修正が、どのように割り当てられていてもよい。
また、時計１Ａでは、巻真６１が０段位置にある場合にゼンマイの手巻きが行われ、巻真６１が１段位置にある場合に時刻情報の修正が行われるが、本発明はこれに限定されない。すなわち、巻真６１が０段位置にある場合に時刻情報の修正が行われ、巻真６１が１段位置にある場合にゼンマイの手巻きが行われてもよい。
また、時計１および時計１Ａにおいて、ゼンマイの手巻き機能はなくてもよい。
【００６３】
前記実施形態の時計１では、巻真６１を２段引くことができ、時計１Ａでは、巻真６１を１段引くことができるが、本発明はこれに限定されない。すなわち、時計１および時計１Ａにおける巻真６１を引くことができる段数は、他の段数であってもよい。
【００６４】
前記実施形態では、時計１は、カレンダー車として、日車３１および曜車３２を備えているが、本発明はこれに限定されない。例えば、日車３１および曜車３２の一方のみを備えていてもよいし、日車３１や曜車３２に加えて、または替えて、月を表示する月車を備えていてもよい。
【符号の説明】
【００６５】
１，１Ａ…時計、１６…リューズ、２，２Ａ…ムーブメント、３，３Ａ…修正機構、３１…日車、３２…曜車、５０…地板、６１…巻真、６２…きち車、６３…つづみ車、６４，６４Ａ…オシドリ、６５，６５Ａ…カンヌキ、７０…小鉄レバー、８０…裏押え。
【図１】
2017049174.tif 000003
【図２】
2017049174.tif 000004
【図３】
2017049174.tif 000005
【図４】
2017049174.tif 000006
【図５】
2017049174.tif 000007
【図６】
2017049174.tif 000008
【図７】
2017049174.tif 000009
【図８】
2017049174.tif 000010
【図９】
2017049174.tif 000011
【図１０】
2017049174.tif 000012
【図１１】
2017049174.tif 000013
【図１２】
2017049174.tif 000014
【図１３】
2017049174.tif 000015